(57)【要約】【課題】運転支援機能の作動状態を正しく運転者に報知することができる運転支援装置を提供すること。【解決手段】乗員による運転操作の少なくとも一部を自動で制御して自車両の走行を自動で制御する運転支援機能を制御する運転支援制御部８と、運転支援機能の作動状態に応じて運転支援機能の作動状態情報を報知する報知部７と、を備え、運転支援制御部８は、報知部７によって報知されている内容と運転支援機能の作動状態とが異なっている場合、運転支援機能の作動を制御する。【選択図】図１
2019038518.tif 000002
【特許請求の範囲】
【請求項１】
乗員による運転操作の少なくとも一部を自動で制御して自車両の走行を自動で制御する運転支援機能を制御する運転支援制御部と、
前記運転支援機能の作動状態に応じて前記運転支援機能に関する情報を報知する報知部と、を備え、
前記運転支援制御部は、前記報知部によって報知されている内容と前記運転支援機能の作動状態とが異なっている場合、前記運転支援機能の作動を制御する運転支援装置。
【請求項２】
前記報知部は、前記運転支援機能に関する情報として前記運転支援機能の作動状態情報を報知し、
前記運転支援制御部は、前記報知部によって報知されている前記作動状態情報と前記運転支援機能の実際の作動状態とが異なっている場合、前記運転支援機能の作動を停止または準備状態にする請求項１に記載の運転支援装置。
【請求項３】
前記運転支援機能の作動状態として、少なくとも前記自車両の走行を自動で制御する運転支援実行状態と、前記運転支援実行状態に遷移可能な運転支援可能状態とを含み、
前記運転支援制御部は、前記運転支援機能の作動状態が前記運転支援実行状態であり、且つ前記報知部によって報知されている前記作動状態情報と前記運転支援機能の実際の作動状態とが異なっている場合、前記運転支援機能の作動を停止または準備状態にし、前記運転支援機能の作動状態が前記運転支援可能状態であり、且つ前記報知部によって報知されている前記作動状態情報と前記運転支援機能の実際の作動状態とが異なっている場合、前記運転支援機能の前記運転支援可能状態を継続して前記運転支援実行状態への遷移を禁止する請求項２に記載の運転支援装置。
【請求項４】
前記運転支援制御部は、前記報知部によって報知されている前記作動状態情報と前記運転支援機能の実際の作動状態とが異なっているため前記運転支援機能の作動を準備状態にした場合、前記運転支援機能の作動状態情報として前記運転支援機能が準備状態であることを報知するように前記報知部に指令する請求項２または請求項３に記載の運転支援装置。
【発明の詳細な説明】
【技術分野】
【０００１】
本発明は、運転支援装置に関する。
【背景技術】
【０００２】
特許文献１に記載されているように、車線逸脱防止装置の制御状態を表示手段に表示することが知られている。
【０００３】
ところで、車両の操舵を自動で制御するシステムの作動状態を表示する場合、操舵機構を制御するコントローラと表示装置を制御するコントローラとが通信し、操舵機構を制御するコントローラからの指令にしたがって表示装置を制御するコントローラが表示制御を行なう構成がある。
【０００４】
このような構成の場合、表示装置や表示装置を制御するコントローラの不具合等が原因で、操舵機構の作動状態と表示装置の表示内容が乖離する可能性がある。自動で操舵する制御が操舵機構に介入しているか否かによって、車両の挙動が変わる。このため、このような制御の作動状態を運転者が正しく把握できないと、運転者が違和感を覚えたり、車両の走行に影響を与えたりする可能性がある。
【先行技術文献】
【特許文献】
【０００５】
【特許文献１】特開平１１−１８９０７１号公報
【発明の概要】
【発明が解決しようとする課題】
【０００６】
しかしながら、特許文献１に記載の表示手段では、実際に表示手段に表示されている内容が車線逸脱防止装置の作動状態と乖離していたとしても、その乖離を修正することはできない。
【０００７】
そこで、本発明は、運転支援機能の作動状態を正しく運転者に報知することができる運転支援装置を提供することを目的としている。
【課題を解決するための手段】
【０００８】
上記課題を解決するため本発明は、乗員による運転操作の少なくとも一部を自動で制御して自車両の走行を自動で制御する運転支援機能を制御する運転支援制御部と、前記運転支援機能の作動状態に応じて前記運転支援機能に関する情報を報知する報知部と、を備え、前記運転支援制御部は、前記報知部によって報知されている内容と前記運転支援機能の作動状態とが異なっている場合、前記運転支援機能の作動を制御するものである。
【発明の効果】
【０００９】
このように、本発明によれば、運転支援機能の作動状態を正しく運転者に報知することができる。
【図面の簡単な説明】
【００１０】
【図１】図１は、本発明の一実施例に係る運転支援装置のブロック図である。
【図２】図２は、本発明の一実施例に係る運転支援装置の運転支援機能の状態遷移図である。
【図３】図３は、本発明の一実施例に係る運転支援装置の作動状態修正処理の手順を示すフローチャートである。
【図４】図４は、本発明の一実施例に係る運転支援装置の作動状態修正処理による処理内容を示す図である。
【図５】図５は、本発明の一実施例の他の態様に係る運転支援装置の作動状態修正処理の手順を示すフローチャートである。
【図６】図６は、本発明の一実施例の他の態様に係る運転支援装置の作動状態修正処理による処理内容を示す図である。
【発明を実施するための形態】
【００１１】
本発明の一実施の形態に係る運転支援装置は、乗員による運転操作の少なくとも一部を自動で制御して自車両の走行を自動で制御する運転支援機能を制御する運転支援制御部と、運転支援機能の作動状態に応じて運転支援機能に関する情報を報知する報知部と、を備え、運転支援制御部は、報知部によって報知されている内容と運転支援機能の作動状態とが異なっている場合、運転支援機能の作動を制御するよう構成されている。これにより、運転支援機能の作動状態を正しく運転者に報知することができる。
【実施例】
【００１２】
以下、図面を参照して、本発明の実施例に係る運転支援装置について詳細に説明する。
図１において、本発明の一実施例に係る運転支援装置を搭載した車両１は、ブレーキ２と、モータ３と、エンジン４と、ステアリング５と、車両制御部６と、報知部７と、運転支援制御部８と、を含んで構成される。
【００１３】
ブレーキ２は、不図示のブレーキペダルに入力された運転者の操作圧力（ペダル踏力）により不図示の車輪に機械的な制動力を働かせる。ブレーキ２は、車両制御部６の制御により車輪に機械的な制動力を働かせられるようになっている。
【００１４】
モータ３は、例えば、複数の永久磁石が埋め込まれたロータと、ステータコイルが巻きつけられたステータと、を備えた同期型モータで構成される。モータ３は、ステータコイルに三相交流電圧が印加されることでステータに回転磁界が形成され、この回転磁界によりロータが回転して駆動力を生成する。
【００１５】
また、モータ３は、発電時における回転抵抗を車両１の制動に利用するように駆動され
る。これにより、モータ３は、回生によって発電できる機能を有する。
【００１６】
エンジン４には、複数の気筒が形成されている。本実施例において、エンジン４は、各気筒に対して、吸気行程、圧縮行程、膨張行程及び排気行程からなる一連の４行程を行なうように構成されている。本実施例においては、モータ３とエンジン４の少なくとも一方の駆動力によって車両１を走行させるようになっている。
【００１７】
ステアリング５は、不図示のハンドルに入力された運転者の操作により不図示の操舵輪の向きを変えて車両１の進行する向きを変える。ステアリング５は、車両制御部６の制御により操舵輪の向きを変えられるようになっている。
【００１８】
車両制御部６は、ＣＰＵ（Central Processing Unit）と、ＲＡＭ（Random Access Memory）と、ＲＯＭ（Read Only Memory）と、フラッシュメモリと、入力ポートと、出力ポートとを備えたコンピュータユニットによって構成されている。
【００１９】
車両制御部６のＲＯＭには、各種制御定数や各種マップ等とともに、当該コンピュータユニットを車両制御部６として機能させるためのプログラムが記憶されている。すなわち、ＣＰＵがＲＯＭに記憶されたプログラムを実行することにより、当該コンピュータユニットは、車両制御部６として機能する。
【００２０】
車両制御部６の出力ポートには、ブレーキ２と、モータ３と、エンジン４と、ステアリング５と、を含む各種制御対象類が接続されている。
【００２１】
車両制御部６は、運転支援制御部８などの要求により各種制御対象類を制御して車両１の走行を制御する。
【００２２】
報知部７は、例えば、モニタ装置、スピーカ、ランプ、メータなどで構成され、視覚、聴覚などを通じて各種情報を運転者に報知する。
【００２３】
報知部７は、報知制御部７１を備えている。報知制御部７１は、運転支援制御部８などと通信して、運転支援制御部８などの指令に応じて各種報知を行なう。また、報知制御部７１は、運転支援制御部８からの要求により報知部７での報知内容を運転支援制御部８に送信する。
【００２４】
運転支援制御部８は、ＣＰＵと、ＲＡＭと、ＲＯＭと、フラッシュメモリと、入力ポートと、出力ポートとを備えたコンピュータユニットによって構成されている。
【００２５】
運転支援制御部８のＲＯＭには、各種制御定数や各種マップ等とともに、当該コンピュータユニットを運転支援制御部８として機能させるためのプログラムが記憶されている。すなわち、ＣＰＵがＲＯＭに記憶されたプログラムを実行することにより、当該コンピュータユニットは、運転支援制御部８として機能する。
【００２６】
運転支援制御部８の入力ポートには、カメラ８１と、ミリ波レーダ８２と、車速センサ８３と、操舵角センサ８４とを含む各種センサ類が接続されている。
【００２７】
カメラ８１は、車両１の前方を撮像するように配置されている。運転支援制御部８は、カメラ８１で撮像した画像から、車両１の前方に存在する物体や路面の状態を検出する。
【００２８】
ミリ波レーダ８２は、ミリ波を送受信して車両１の前方に存在する物体や、その物体との距離を検出する。
【００２９】
車速センサ８３は、車両１の速度を検出する。操舵角センサ８４は、不図示のハンドルの操舵角を検出する。
【００３０】
車両制御部６と運転支援制御部８は、ＣＡＮ（Controller Area Network）等の規格に準拠した車内ＬＡＮ（Local Area Network）を介して制御信号等の信号の送受信を相互に行なう。
【００３１】
運転支援制御部８は、各種センサ類の検出結果に基づいて、例えば、車線逸脱防止支援機能のような運転支援機能を制御する。
【００３２】
運転支援制御部８は、運転支援機能の作動状態を図２に示すような状態遷移図に従って制御する。
【００３３】
図２において、車両１のイグニッションスイッチがオンにされると、「ＩＧ  ＯＮ」状態になり、初期状態は「非作動中」状態となる。
【００３４】
「非作動中」状態で運転支援機能のスイッチがオンにされると、「作動中」状態になり、初期状態は「スタンバイ」状態となる。運転支援機能のスイッチは、例えば、ハンドル近傍に設置されており、運転者が操作可能な位置に設置されている。
【００３５】
「スタンバイ」状態で運転支援機能の作動条件が充たされると、「アクティブ」状態になり、初期状態は「運転支援可能」状態となる。
【００３６】
「運転支援可能」状態で運転支援機能の実行条件が充たされると、「運転支援実行」状態となる。
【００３７】
「非作動中」状態または「作動中」状態で各種センサ類の故障などで運転支援機能を実行できなくなると、「Ｆａｉｌ」状態になる。「Ｆａｉｌ」状態で運転支援機能を実行できるようになると、「非作動中」状態となる。
【００３８】
「スタンバイ」状態は、運転支援機能の作動条件が充たされるかを判定している状態、または運転支援機能の作動条件が充たされていないと判定されている状態であり、例えば、車線逸脱防止支援機能では、車線検知などの必要情報の取得や車速上昇待ちの状態である。「運転支援可能」状態は、実行条件を充たせば、いつでも「運転支援実行」状態に遷移可能であるが、実際に車両制御は行なわれていない状態であり、「運転支援実行」状態は、実際に車両制御が行なわれている状態である。なお、この「スタンバイ」状態は、本発明における準備状態に相当する。
【００３９】
車線逸脱防止支援機能での運転支援機能の作動条件とは、車速や操舵角の条件や車線を検出できていることなどである。車線逸脱防止支援機能での運転支援機能の実行条件とは、車線の逸脱を検出していることなどである。ここで車線の逸脱とは、具体的には車両１が車線を逸脱しそうになっている状態、または車線を逸脱した状態を示す。
【００４０】
車線逸脱防止支援機能での「運転支援可能」状態は、車速や操舵角や表示状態の条件を充たし、かつ車線を検出できている状態であり、「運転支援実行」状態は、操舵制御が行なわれステアリングトルクが付与されている状態である。
【００４１】
自動レーンチェンジ機能での運転支援機能の作動条件とは、車線を検出できていること、車線変更操作（ウィンカーの操作）が行なわれていることなどである。自動レーンチェンジ機能での運転支援機能の実行条件とは、変更先の車線に車両がいないことなどである。
【００４２】
自動レーンチェンジ機能での「運転支援可能」状態は、ウィンカーが操作されて周辺検知されているが、周辺に車両があるため自動車線変更制御（駆動力や制動力、操舵の制御）が実行されていない状態であり、「運転支援実行」状態は、駆動力や制動力や操舵が自動制御され車両１が車線変更するよう走行が制御されている状態である。
【００４３】
自動駐車機能での運転支援機能の作動条件とは、駐車枠を検知していること、目標駐車位置の設定がされていることなどである。自動駐車機能での運転支援機能の実行条件とは、自動駐車開始の操作が行なわれたことなどである。
【００４４】
自動駐車機能での「運転支援可能」状態は、駐車枠の検知や目標駐車位置の設定がされているが、操舵や駆動力と制動力の制御が実行されていない状態であり、「運転支援実行」状態は、駆動力や制動力や操舵が自動制御され車両１が目標駐車位置に駐車するよう走行が制御されている状態である。
【００４５】
ＡＣＣ（Adaptive Cruise Control）では、運転支援機能の作動条件も運転支援機能の実行条件も車速が所定速度以上であることなどであり、「スタンバイ」状態から「運転支援可能」状態を経ずに「運転支援実行」状態となる。
【００４６】
ＡＣＣでの「スタンバイ」状態は、ＡＣＣの機能スイッチがオンだが、車速が所定速度以上等の条件を充たしていない状態であり、「運転支援実行」状態は、先行車追従制御や定速走行制御が実行中の状態である。
【００４７】
運転支援制御部８は、このような運転支援機能の作動状態に応じた報知指令を報知制御部７１に送信して報知部７に運転支援機能の作動状態を報知させる。
【００４８】
運転支援制御部８は、報知制御部７１から報知部７の報知内容を読み込み、報知部７の報知内容が運転支援機能の作動状態と一致していない場合、運転支援機能を停止する。
【００４９】
以上のように構成された本実施例に係る運転支援装置による作動状態修正処理について、図３を参照して説明する。なお、以下に説明する作動状態修正処理は、車線逸脱防止支援機能の作動状態をモニタ装置などに「スタンバイ」状態と「アクティブ」状態と「非作動中」状態との３種類のうちいずれかの作動状態である旨を表示させる場合を示しており、運転支援制御部８は、報知指令として表示指令を送信する。また、以下に説明する作動状態修正処理は、運転支援制御部８が動作を開始すると開始され、予め設定された時間間隔で実行される。
【００５０】
ステップＳ１において、運転支援制御部８は、車線逸脱防止支援機能の作動状態を読み込む。
【００５１】
ステップＳ２において、運転支援制御部８は、車線逸脱防止支援機能の作動状態に応じた表示指令を報知制御部７１に送信して報知部７に車線逸脱防止支援機能の作動状態を表示させる。
【００５２】
ステップＳ３において、運転支援制御部８は、報知部７での表示内容を報知制御部７１から読み込む。
【００５３】
ステップＳ４において、運転支援制御部８は、車線逸脱防止支援機能の作動状態と報知部７での表示内容が一致しているか否かを判定する。車線逸脱防止支援機能の作動状態と報知部７での表示内容が一致していると判定された場合、運転支援制御部８は、処理を終了する。
【００５４】
ステップＳ４において車線逸脱防止支援機能の作動状態と報知部７での表示内容が一致していないと判定された場合、ステップＳ５において、運転支援制御部８は、車線逸脱防止支援機能の作動状態が「非作動中」状態であるか否かを判定する。
【００５５】
ステップＳ５において車線逸脱防止支援機能の作動状態が「非作動中」状態であると判定されると、ステップＳ６において、運転支援制御部８は、車線逸脱防止支援機能の作動停止を継続する。
【００５６】
ステップＳ７において、運転支援制御部８は、車線逸脱防止支援機能が「非作動中」状態である旨を表示するよう表示指令を報知制御部７１に送信して、処理を終了する。上述の通り、ステップＳ６及びステップＳ７の処理は、車線逸脱防止支援機能の作動状態が「非作動中」状態であり、かつ報知部７での表示内容が作動状態と一致していない場合に実行される。すなわち、ステップＳ７の処理が実行されるまでは、報知部７での表示内容は「スタンバイ」状態または「アクティブ」状態である旨を表示しており、ステップＳ７ではその表示を変更して「非作動中」状態である旨を表示するよう表示指令を送信する。
【００５７】
ステップＳ５において、車線逸脱防止支援機能の作動状態が「非作動中」状態でないと判定されると、ステップＳ８において運転支援制御部８は、車線逸脱防止支援機能の作動状態を「スタンバイ」状態にする。
【００５８】
ステップＳ９において、運転支援制御部８は、車線逸脱防止支援機能が「スタンバイ」状態である旨を表示するよう表示指令を報知制御部７１に送信して、処理を終了する。上述の通り、ステップＳ８及びステップＳ９の処理は、車線逸脱防止支援機能の作動状態が「作動中」状態、すなわち「スタンバイ」状態または「アクティブ」状態であり、かつ報知部７での表示内容が作動状態と一致していない場合に実行される。報知部７での表示内容が「非作動中」状態を示すものである場合の他、作動状態が「スタンバイ」状態であるにもかかわらず報知部７での表示内容が「アクティブ」状態を示す内容である場合や、作動状態が「アクティブ」状態であるにもかかわらず報知部７での表示内容が「スタンバイ」状態である場合も含まれる。すなわち、ステップＳ９の処理が実行されるまでは、報知部７での表示内容は「スタンバイ」状態と「アクティブ」状態と「非作動中」状態との３種類のいずれかが表示されていることになる。「アクティブ」状態または「非作動中」状態のいずれかである旨が表示されている場合、ステップＳ９ではその表示を変更して「スタンバイ」状態である旨を表示するよう表示指令を送信する。「スタンバイ」状態を示す旨が表示されている場合、ステップＳ９では「スタンバイ」状態を示す旨の表示を継続するよう表示指令を送信する。
【００５９】
このような作動状態修正処理による車線逸脱防止支援機能の作動状態と報知制御部７１から送信される表示内容での運転支援制御部８の処理内容を図４に示す。図中、一番上の行は報知部７の状態（表示状態）を示す見出し、一番左の列は車線逸脱防止支援機能の作動状態を示す見出しであり、それ以外の４つの枠が処理内容を示している。
【００６０】
図４に示すように、車線逸脱防止支援機能の作動状態と報知制御部７１から送信される表示内容が一致している場合（図の処理内容の１−（ａ）と、１−（ｄ）の枠）、車線逸脱防止支援機能の作動も報知部７の表示も継続される。
【００６１】
車線逸脱防止支援機能の作動状態と報知制御部７１から送信される表示内容が一致していない場合（図の処理内容の１−（ｂ）と、１−（ｃ）の枠）の制御について以下に示す。車線逸脱防止支援機能が「非作動中」状態である場合（図の処理内容の１−（ｃ）の枠）は「非作動中」状態を継続し、報知部７の表示は「非作動中」状態である旨を示す表示内容にされる。車線逸脱防止機能が「作動中」状態である場合（図の処理内容の１−（ｂ）の枠）は、作動状態が「スタンバイ」状態にされ、報知部７の表示は「スタンバイ」状態である旨を示す表示内容にされる。
【００６２】
このように、上述の実施例では、報知部７の報知内容に応じて運転支援機能の作動を制御するため、報知部７に不具合が生じている場合であっても報知内容と運転支援機能の作動状態とに乖離が生じることを抑制して、運転者が運転支援機能の作動状態を正しく把握することができる。このため、運転者が車両１の走行制御に関わる操作を適切に行なうことができる。
【００６３】
また、報知部７での報知内容と運転支援機能の作動状態とに乖離が生じている場合は運転支援機能の作動を停止またはスタンバイ状態にするため、運転支援機能が作動していない、特にアクティブ状態でないにもかかわらず運転者がそのことを把握できなかったり、運転支援機能が作動して車両１の走行が自動で制御されているにもかかわらず運転者がそのことを認識できずに違和感を覚えたりすることを抑制することができる。
【００６４】
運転支援機能が作動しているにもかかわらず「非作動中」状態または「スタンバイ」状態として報知されると、運転者は、自動制御が実行されていないと認識するが、実際には車両１の走行が自動制御によって運転者による操作以外のふるまいをすることがあり、運転者が違和感を覚える。本実施例は、このような不都合を解消することができる。
【００６５】
本実施例の他の態様としては、運転支援機能の作動状態と報知部７での報知内容が一致していない場合、図２の「作動中」状態の中の状態により運転支援機能の作動を制御する。
【００６６】
本実施例の他の態様に係る運転支援装置による作動状態修正処理について、図５を参照して説明する。なお、以下に説明する作動状態修正処理は、車線逸脱防止支援機能の作動状態をモニタ装置などに「スタンバイ」状態と「アクティブ」状態と「非作動中」状態との３種類のうちいずれかを表示させる場合を示しており、運転支援制御部８は、報知指令として表示指令を送信する。また、以下に説明する作動状態修正処理は、運転支援制御部８が動作を開始すると開始され、予め設定された時間間隔で実行される。
【００６７】
ステップＳ１１からステップＳ１４において、運転支援制御部８は、上述の実施例のステップＳ１からステップＳ４までと同様に、車線逸脱防止支援機能の作動状態を読み込み、車線逸脱防止支援機能の作動状態に応じた表示指令を報知制御部７１に送信し、報知部７での表示内容を報知制御部７１から読み込み、車線逸脱防止支援機能の作動状態と報知部７での表示内容が一致しているか否かを判定し、車線逸脱防止支援機能の作動状態と報知部７での表示内容が一致していると判定した場合、処理を終了する。
【００６８】
ステップＳ１４において車線逸脱防止支援機能の作動状態と報知部７での表示内容が一致していないと判定された場合、ステップＳ１５において、運転支援制御部８は、車線逸脱防止支援機能の作動状態が「運転支援可能」状態または「スタンバイ」状態であるか否かを判定する。車線逸脱防止支援機能の作動状態が「運転支援可能」状態または「スタンバイ」状態でないと判定された場合、ステップＳ１６からステップＳ２０において、運転支援制御部８は、上述の実施例のステップＳ５からステップＳ９までと同様の流れで制御を実行する。ここで、車線逸脱防止支援機能の作動状態が「非作動中」状態でないと判定されることは、ステップＳ１１でＮＯと判定された後のことであるため、車線逸脱防止支援機能の作動状態が「運転支援実行」状態であると判定されることと同義である。
【００６９】
具体的には、ステップＳ１６で車線逸脱防止支援機能の作動状態が「非作動中」状態であるか否かを判定する。ステップＳ１６において車線逸脱防止支援機能が「非作動中」状態であると判定されると、ステップＳ１７において運転支援制御部８は、車線逸脱防止支援機能の作動を停止状態に保つ。ステップＳ１８において、運転支援制御部８は、車線逸脱防止支援機能が「非作動中」状態である旨を表示するよう表示指令を報知制御部７１に送信して、処理を終了する。上述の通り、ステップＳ１７及びステップＳ１８の処理は、車線逸脱防止支援機能の作動状態が「非作動中」状態であり、かつ報知部７での表示内容が作動状態と一致していない場合に実行される。すなわち、ステップＳ１８の処理が実行されるまでは、報知部７での表示内容は「スタンバイ」状態または「アクティブ」状態である旨を表示しており、ステップＳ１８ではその表示を変更して「非作動中」状態である旨を表示するよう表示指令を送信する。
【００７０】
ステップＳ１６において、車線逸脱防止支援機能の作動状態が「非作動中」状態でないと判定されると、ステップＳ１９において運転支援制御部８は、車線逸脱防止支援機能の作動状態を「スタンバイ」状態にする。ステップＳ２０において、運転支援制御部８は、車線逸脱防止支援機能が「スタンバイ」状態である旨を表示するよう表示指令を報知制御部７１に送信して、処理を終了する。上述の通り、ステップＳ１９及びステップＳ２０の処理は、車線逸脱防止支援機能の作動状態が「運転支援実行」状態であり、かつ報知部７での表示内容が作動状態と一致していない場合に実行される。報知部７での表示内容が「非作動中」状態または「スタンバイ」状態を示すものである場合に実行される。すなわち、ステップＳ２０の処理が実行されるまでは、報知部７での表示内容は「スタンバイ」状態と「非作動中」状態との２種類のいずれかが表示されていることになる。「非作動中」状態である旨が表示されている場合、ステップＳ２０ではその表示を変更して「スタンバイ」状態である旨を表示するよう表示指令を送信する。「スタンバイ」状態を示す旨が表示されている場合、ステップＳ２０では「スタンバイ」状態を示す旨の表示を継続するよう表示指令を送信する。
【００７１】
ステップＳ１５において車線逸脱防止支援機能の作動状態が「運転支援可能」状態または「スタンバイ」状態であると判定された場合、ステップＳ２１において、運転支援制御部８は、車線逸脱防止支援機能の作動状態を維持する。
【００７２】
ステップＳ２２において、運転支援制御部８は、車線逸脱防止支援機能の作動状態が「運転支援実行」状態に遷移することを禁止し、ステップＳ２３において、車線逸脱防止支援機能が、ステップＳ２１で運転支援制御部８によって維持された「現在の状態」である旨を表示するよう表示指令を報知制御部７１に送信して、処理を終了する。ここで、「現在の状態」とは、「運転支援可能」状態を維持した場合は表示内容が「アクティブ」状態である旨を示すよう、「スタンバイ」状態を維持した場合は表示内容が「スタンバイ」状態である旨を示すよう表示指令を送信する。すなわち、本フローを実行した際の表示内容が「非作動中」状態、「スタンバイ」状態、「アクティブ」状態のいずれの旨を示すものであっても、ステップＳ２３ではステップＳ２１にて維持された作動状態である旨を表示するよう表示指令を送信する。
【００７３】
このような作動状態修正処理による車線逸脱防止支援機能の作動状態と報知制御部７１から送信される表示内容での運転支援制御部８の処理内容を図６に示す。図中、一番上の行は報知部７の状態（表示状態）を示す見出し、一番左の列は車線逸脱防止支援機能の作動状態を示す見出しであり、２−（ａ）から２−（ｊ）までの１０個の枠が処理内容を示している。
【００７４】
図６に示すように、本実施例の他の態様では、車線逸脱防止支援機能の作動状態と報知制御部７１から送信される表示内容が一致していない場合、作動状態に応じて運転支援をスタンバイ状態に遷移させるか、現在の作動状態を維持しつつ他の作動状態への遷移を禁止する。
【００７５】
車線逸脱防止支援機能の作動状態と表示内容とが一致しておらず、かつ作動状態が支援可能状態またはスタンバイ状態である場合（ステップＳ１５：ＹＥＳの場合）の、作動状態及び表示内容の制御の具体例を以下に記す。車線逸脱防止支援機能の作動状態が「スタンバイ」状態の場合（図の処理内容の２−（ｂ）の枠）、車線逸脱防止支援機能の作動状態を「スタンバイ」状態で継続し、報知部７の表示も「スタンバイ」状態である旨を示す表示となるよう表示指令信号を送信する。このとき、車線逸脱防止支援機能の作動状態が「運転支援実行」状態に遷移することが禁止される。車線逸脱防止支援機能の作動状態が「運転支援可能」状態の場合（図の処理内容の２−（ｃ）と２−（ｅ）の枠）、車線逸脱防止支援機能の作動状態を「運転支援可能」状態で継続し、報知部７の表示は「アクティブ」状態である旨を示す表示となるよう表示指令信号を送信する。このとき、車線逸脱防止支援機能の「運転支援実行」状態への遷移が禁止される。
【００７６】
車線逸脱防止支援機能の作動状態と表示内容とが一致しておらず、かつ作動状態が「運転支援可能」状態または「スタンバイ」状態でない場合（ステップＳ１５：ＮＯの場合）の、作動状態及び表示内容の制御の具体例を以下に記す。車線逸脱防止支援機能が「非作動中」状態である場合（図の処理内容の２−（ｉ）の枠、ステップＳ１６：ＹＥＳに相当）は「非作動中」状態を継続し、報知部７の表示は「非作動中」状態である旨を示す表示内容になるよう表示指令信号が送信される。車線逸脱防止機能が「作動中」状態での中の「運転支援実行」状態である場合（図の処理内容の２−（ｆ）と２−（ｈ）の枠、ステップＳ１６：ＮＯに相当）は作動状態が「スタンバイ」状態にされ、報知部７の表示は「スタンバイ」状態である旨を示す表示内容になるよう表示指令信号が送信される。
【００７７】
車線逸脱防止支援機能の作動状態と報知制御部７１から送信される表示内容が一致している場合（図の処理内容の２−（ａ）と、２−（ｄ）と２−（ｇ）、２−（ｊ）の枠）、車線逸脱防止支援機能の作動も報知部７の表示も継続される。
【００７８】
このように、実際に「運転支援実行」状態である場合は、報知される情報が実際の作動状態と異なっていると運転支援機能の作動を停止または「スタンバイ」状態にするため、実際の車両１の挙動と報知とが乖離して運転者が違和感を覚えることを抑制することができる。
【００７９】
また、運転支援機能は作動状態であるが、「スタンバイ」状態または「運転支援可能」状態である場合は、報知される情報と実際の作動状態とが異なっていてもそれぞれ「スタンバイ」状態または「運転支援可能」状態を維持しつつ「運転支援実行」状態へ遷移を禁止することで、報知される情報が正しい情報に復帰することを待ちつつ、車両１が自動で制御される状態に遷移して運転者が違和感を覚えることを防止することができる。
【００８０】
「運転支援可能」状態である場合はそれを継続することで、「運転支援実行」状態に遷移する条件を充たす前に報知部７が正常な作動に復帰した場合、不都合なく正常な運転支援機能の作動に戻ることができる。
【００８１】
運転支援機能が「アクティブ」状態でないにもかかわらず「アクティブ」状態として報知されると、実際には実行されない自動制御による運転支援に頼った運転操作をしてしまう可能性がある。本態様は、このような不都合を解消することができる。
【００８２】
また、運転支援機能の作動を停止した場合は、運転支援機能が「非動作中」状態であることを報知するように報知部７に指令し、運転支援機能の作動状態を「スタンバイ」状態にした場合は、運転支援機能が「スタンバイ」状態であることを報知するように報知部７に指令するため、運転者は運転支援機能の作動状態を正しく把握することができる。
【００８３】
また、本発明の実施例では、ステップＳ５において車線逸脱防止支援機能の作動状態が「非作動中」状態でないと判定された場合、運転支援制御部８は車線逸脱防止支援機能の作動状態を「スタンバイ」状態にするが、車線逸脱防止支援機能の作動を停止させてもよい。この場合、その後運転支援制御部８は、車線逸脱防止支援機能が「非作動中」状態である旨を表示するよう表示指令を報知制御部７１に送信して、処理を終了する。
【００８４】
上述する変形例の場合、車線逸脱防止支援機構の作動状態と報知制御部７１から送信される表示内容での運転支援制御部８の処理内容は次のように変化する。図４において、車線逸脱防止支援機能の作動状態と報知制御部７１から送信される表示内容が一致しておらず、車線逸脱防止機能が作動中である場合（図の処理内容の１−（ｂ）の枠）も、車線逸脱防止支援機能の作動は停止され、報知部７の表示は「非作動中」状態である旨を表示するようにされる。図６においては、車線逸脱防止支援機能の作動状態と報知制御部７１から送信される表示内容とが一致しておらず、車線逸脱防止支援機能が作動中かつ「運転支援実行」状態である場合（図の処理内容の２−（ｈ）の枠）も、車線逸脱防止支援機能の作動は停止され、報知部７の表示は「非作動中」状態である旨を表示するようにされる。
【００８５】
また、本発明の実施例では、「運転支援可能」状態と「運転支援実行」状態とを併せて「アクティブ」状態と定義し、表示内容を「アクティブ」状態としてまとめて表示する構成であるが、表示内容を「運転支援可能」状態と「運転支援実行」状態とに対応するよう異なる態様の表示を行ってもよい。この場合、図６の処理内容２−（ｅ）の枠の処理について、報知部７の表示が「運転支援可能」状態である旨を表示するよう指示信号を送信する構成であればよい。
【００８６】
本発明の実施例を開示したが、当業者によっては本発明の範囲を逸脱することなく変更が加えられうることは明白である。すべてのこのような修正及び等価物が次の請求項に含まれることが意図されている。
【符号の説明】
【００８７】
１  車両
７  報知部
８  運転支援制御部
７１  報知制御部
【図１】
2019038518.tif 000003
【図２】
2019038518.tif 000004
【図３】
2019038518.tif 000005
【図４】
2019038518.tif 000006
【図５】
2019038518.tif 000007
【図６】
2019038518.tif 000008